(57)【要約】      （修正有）【課題】アクチュエータのレンズホルダーに対して、対物レンズを高精度に組み込む。【解決手段】レーザーダイオードから放射されるレーザー光を光ディスクに設けられている信号記録層に集光させるレンズ部６Ａ、該レンズ部６Ａの周囲に設けられているとともにオートコリメータ装置から照射される平行光を前記オートコリメータ装置方向に反射させる反射平面部６Ｂ及び該反射平面部６Ｂの外周部に鍔部６Ｃが形成されている対物レンズ６であり、前記鍔部６Ｃに照射されるオートコリメータ装置からの平行光を該オートコリメータ装置に反射させないようにする。【選択図】図１
2011216163.tif 000002
【特許請求の範囲】
【請求項１】
レーザーダイオードから放射されるレーザー光を光ディスクに設けられている信号記録層に集光させるレンズ部、該レンズ部の周囲に設けられているとともにオートコリメータ装置から照射される平行光を前記オートコリメータ装置方向に反射させる反射平面部及び該反射平面部の外周部に鍔部が形成されている対物レンズであり、前記鍔部に照射されるオートコリメータ装置からの平行光を該オートコリメータ装置に反射させないようにしたことを特徴とする対物レンズ。
【請求項２】
鍔部の表面をシボ加工することによって該鍔部に照射される平行光を乱反射させるようにしたことを特徴とする請求項１に記載の対物レンズ。
【請求項３】
鍔部に傾斜面を形成することによって該鍔部に照射される平行光をオートコリメータ装置と異なる方向に反射させるようにしたことを特徴とする請求項１に記載の対物レンズ。
【請求項４】
傾斜面から反射される平行光の反射方向がレンズの外周方向になるように傾斜面の傾斜方向を設定したことを特徴とする請求項３に記載の対物レンズ。
【発明の詳細な説明】
【技術分野】
【０００１】
本発明は、光ディスクに記録されている信号の読み出し動作をレーザー光によって行う光ピックアップ装置に使用される対物レンズに関する。
【背景技術】
【０００２】
光ピックアップ装置から照射されるレーザー光を光ディスクの信号記録層に照射することによって信号の再生動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
光ピックアップ装置は、レーザーダイオードから放射されるレーザー光を対物レンズの集光動作によって光ディスクに設けられている信号記録層に集光させるとともに該信号記録層から反射されるレーザーである戻り光を光検出器に照射させるように構成されている。即ち、光検出器に組み込まれている４分割センサー等に照射されるレーザー光の光量変化や位置の変化に伴って得られる信号からフォーカスエラー信号やトラッキングエラー信号を生成し、これらの信号を利用して対物レンズの変位位置を制御することによって光ディスクに記録されている信号の読み出し動作等を行うように構成されている。
【０００５】
斯かる動作を行うように構成された光ピックアップ装置に組み込まれる対物レンズは、光ディスクの信号面に対して垂直方向への変位動作及び光ディスクの径方向への変位動作を行うことが出来るように４本の支持ワイヤー等によって支持されているレンズホルダーと呼ばれる部材に接着剤等によって固定されている。
【０００６】
斯かる構成の光ピックアップ装置において、対物レンズは前記レンズホルダーの光ディスクの信号面に対する垂直方向への変位動作及び光ディスクの径方向への変位動作によってフォーカス制御動作及びトラッキング制御動作のための変位動作を行うように構成されている。
【０００７】
そして、前述したフォーカス制御動作及びトラッキング制御動作を正確に行うためには、対物レンズの光軸の光ディスクの信号面に対する角度が垂直になるように光ピックアップ装置を組み立てる必要がある。斯かる対物レンズの角度調整動作は、例えば特許文献１に記載されているようなオートコリメータ装置を使用して行うようにされている。
【先行技術文献】
【特許文献】
【０００８】
【特許文献１】特開２０００−２９３８６０号公報
【発明の概要】
【発明が解決しようとする課題】
【０００９】
特許文献１に記載されている従来技術について、図５を参照して説明する。図５において、１はオートコリメータ装置であり、基準台２に載置されている光ピックアップ装置３に組み込まれている対物レンズに平行光Ｌを照射するとともに前記対物レンズから反射されてくるレーザー光を受光するように構成されている。４は前記オートコリメータ装置１から得られる信号が入力されるとともに該オートコリメータ装置１の制御動作を行う演算
装置であり、ディスプレイ部４Ａに表示される図形から対物レンズの角度を調整するように構成されている。
【００１０】
図６は従来一般に使用されている対物レンズの構成を説明するための断面図である。同図において、５は前述したように４本の支持ワイヤーによってフォーカス方向及びトラッキング方向への変位動作を行うことが出来るように支持されているレンズホルダーであり、対物レンズ６が図示したように接着固定されている。
【００１１】
前記対物レンズ６は、レーザーダイオード(図示せず)から放射されるレーザー光を光ディスクの信号記録層に集光させるレンズ部６Ａ、該レンズ部６Ａの周囲に設けられているとともにオートコリメータ装置１から照射される平行光Ｌをオートコリメータ装置１の方向に反射させる反射平面部６Ｂ及び該反射平面部６Ｂの外周側に設けられた鍔部６Ｃとより構成されている。
【００１２】
前記鍔部６Ｃの下面は前記レンズホルダー５に形成されている固定面５Ａと当接し、対物レンズ６のレンズホルダー５に対する固定位置を規定する固定基準面が形成されている。前記レンズホルダー５に対して対物レンズ６は接着固定されるが、斯かる対物レンズ６が組み込まれた光ピックアップ装置において、光ディスクの信号面に対して対物レンズ６の光軸の角度を垂直に調整する動作は、図５に示すオートコリメータ装置１を使用して行われるが、斯かる調整動作についての説明は省略する。
【００１３】
図６に示した構成の対物レンズ６では、オートコリメータ装置１から照射される平行光Ｌは対物レンズ６に設けられている反射平面部６Ｂだけでなく鍔部６Ｃの上面部にも照射されることになる。その結果、反射平面部６Ｂから反射された平行光Ｌだけでなく鍔部６Ｃの上面部にて反射された平行光Ｌがオートコリメータ装置１に入射されることになる。
【００１４】
前記オートコリメータ装置１は入射される平行光Ｌの反射光に基づく検出信号を演算装置４に対して出力する。その結果、演算装置４が入力される信号に基づいて演算処理し、その演算結果に基づく測定データをディスプレイ部４Ａに表示させる。その表示結果に基づいて光ピックアップ装置３に組み込まれている対物レンズ６の角度を調整する動作が行われることになる。
【００１５】
斯かる対物レンズ６の角度調整動作が行われるとき、前記演算装置４のディスプレイ部４Ａには、対物レンズ６に設けられている反射平面部６Ｂから反射される平行光Ｌだけでなく鍔部６Ｃの上面部にて反射された平行光Ｌに基づく測定データが表示されることになるので、ディスプレイ部４Ａに表示される点像が不明瞭になり、正確な角度調整動作を行うことが出来ないという問題がある。
【００１６】
本発明は、斯かる問題を解決することが出来る対物レンズを提供しようとするものである。
【課題を解決するための手段】
【００１７】
本発明は、レーザーダイオードから放射されるレーザー光を光ディスクに設けられている信号記録層に集光させるレンズ部、該レンズ部の周囲に設けられているとともにオートコリメータ装置から照射される平行光を前記オートコリメータ装置方向に反射させる反射平面部及び該反射平面部の外周部に鍔部が形成されている対物レンズにおいて、前記鍔部に照射されるオートコリメータ装置からの平行光を該オートコリメータ装置に反射させないようにしたことを特徴とするものである。
【００１８】
また、本発明は、対物レンズに形成されている鍔部の表面をシボ加工することによって
該鍔部に照射される平行光を乱反射させるようにしたことを特徴とするものである。
【００１９】
そして、本発明は、対物レンズに形成されている鍔部に傾斜面を形成することによって該鍔部に照射される平行光をオートコリメータ装置と異なる方向に反射させるようにしたことを特徴とするものである。
【００２０】
また、本発明は、対物レンズの鍔部に形成される傾斜面から反射される平行光の反射方向がレンズの外周方向になるように傾斜面の傾斜方向を設定したことを特徴とするものである。
【発明の効果】
【００２１】
本発明の対物レンズは、対物レンズの角度を調整する場合に使用される反射平面部の外周部に設けられている鍔部から反射される平行光がオートコリメータ装置に入射されないようにしたので、オートコリメータ装置から得られる測定信号に基づくデータを表示するべく設けられているディスプレイ部に表示される点像が明瞭になる。従って、本発明の対物レンズによれば、対物レンズの光軸を光ディスクの信号面に対して垂直になるように調整するオートコリメータ装置による調整動作を正確に行うことが出来る。
【図面の簡単な説明】
【００２２】
【図１】本発明に係る対物レンズの構成を説明するための断面図である。
【図２】本発明に係る対物レンズの平面図である。
【図３】本発明に係る対物レンズの構成を説明するための断面図である。
【図４】本発明に係る対物レンズの平面図である。
【図５】オートコリメータ装置による調整動作を説明するための概略図である。
【図６】従来の対物レンズの構成を説明するための断面図である。
【発明を実施するための形態】
【００２３】
レーザーダイオードから放射されるレーザー光を光ディスクの信号記録層に集光させる対物レンズの角度調整を正確に行うことが出来る対物レンズに関する。
【実施例１】
【００２４】
図１は本発明の光ピックアップ装置に組み込まれる対物レンズの構成を説明するための断面図であり、図６に示した従来例と同一のものには同一の符号を付している。本発明の対物レンズ６は、反射平面部６Ｂの外周部に設けられている鍔部６Ｃの上面６Ｄをシボ加工したことを特徴とするものである。
【００２５】
図２は鍔部６Ｃの上面６Ｄをシボ加工した対物レンズ６の平面図であり、前記反射平面部６Ｂ及び上面６Ｄがシボ加工された鍔部６Ｃは環状に形成されている。斯かる構成の対物レンズ６であれば、オートコリメータ装置１から照射される平行光Ｌが反射平面部６Ｂ及び鍔部６Ｃの上面６Ｄに照射されても鍔部６Ｃの上面６Ｄに照射される平行光Ｌはシボ加工された上面６Ｄにて乱反射されるので、前記鍔部６Ｃの上面６Ｄに照射される平行光Ｌがオートコリメータ装置１に入射されることはない。
【００２６】
従って、前記オートコリメータ装置１には、対物レンズ６に形成されている反射平面部６Ｂから反射される平行光のみが入射されることになるので、ディスプレイ部４Ａに表示される点像を明瞭にすることが出来る。それ故、本発明の対物レンズ６によれば対物レンズ６の光軸角度調整を正確に行うことが出来る。
【００２７】
また、本発明の対物レンズ６は、反射平面部６Ｂ及び上面６Ｄがシボ加工された鍔部６Ｃを環状に形成したので、対物レンズ６の回転位置がどこにあってもオートコリメータ装
置１による光軸角度調整を支障なく正確に行うことが出来る。
【実施例２】
【００２８】
実施例２について図３及び図４を参照して説明する。尚、図１に示した実施例１と同一のものには同一の符号を付している。本実施例２の対物レンズ６は、反射平面部６Ｂの外周部に設けられている鍔部６Ｃの上面に傾斜面６Ｅを形成したことを特徴とするものである。
【００２９】
図２は鍔部６Ｃの上面に傾斜面６Ｅを形成した対物レンズ６の平面図であり、前記反射平面部６Ｂ及び傾斜面６Ｅが形成されている鍔部６Ｃは環状に形成されている。斯かる構成の対物レンズ６であれば、オートコリメータ装置１から照射される平行光Ｌが反射平面部６Ｂ及び鍔部６Ｃの傾斜面６Ｅに照射されても鍔部６Ｃの傾斜面６Ｅに照射される平行光Ｌは該傾斜面６Ｅにて図示したように対物レンズ６の外側に反射されるので、前記鍔部６Ｃの傾斜面６Ｅに照射される平行光Ｌがオートコリメータ装置１に入射されることはない。
【００３０】
従って、前記オートコリメータ装置１には、対物レンズ６に形成されている反射平面部６Ｂから反射される平行光のみが入射されることになるので、ディスプレイ部４Ａに表示される点像を明瞭にすることが出来る。それ故、本発明の対物レンズ６によれば対物レンズ６の光軸角度調整を正確に行うことが出来る。
【００３１】
また、本発明の対物レンズ６は、反射平面部６Ｂ及び傾斜面６Ｅが形成されている鍔部６Ｃを環状に形成したので、対物レンズ６の回転位置がどこにあってもオートコリメータ装置１による光軸角度調整を支障なく正確に行うことが出来る。
【００３２】
更に、本発明の対物レンズ６の鍔部６Ｃに形成されている傾斜面６Ｅは、該傾斜面６Ｅにて反射される平行光Ｌの反射方向が対物レンズ６の外周方向になるように構成したので、反射される平行光Ｌが互いに干渉することはなく、オートコリメータ装置１による測定動作に使用される平行光Ｌ、即ち反射平面部６Ｂから反射される平行光Ｌの測定動作を正確に行うことが出来る。
【産業上の利用可能性】
【００３３】
本発明の実施例において、鍔部６Ｃの上面６Ｄに施工されるシボ加工としては、梨地、木目、布目等種々実施することが出来る。
【符号の説明】
【００３４】
５      レンズホルダー
６      対物レンズ
６Ａ    レンズ部
６Ｂ    反射平面部
６Ｃ    鍔部
６Ｄ    上面
６Ｅ    傾斜面
Ｌ      平行光
【図１】
2011216163.tif 000003
【図２】
2011216163.tif 000004
【図３】
2011216163.tif 000005
【図４】
2011216163.tif 000006
【図５】
2011216163.tif 000007
【図６】
2011216163.tif 000008